(57)【要約】【課題】入金残高が記録される記録媒体を効率的に補充、回収することが可能な遊技場用システムを提供する。【解決手段】入金残高を記録するＩＣカードを複数枚貯留可能な貸出機において、対応する遊技機が非稼動状態となった場合に（Ｓ１４：ＹＥＳ）、ＩＣカードの数が不足或いは過剰であったときは（Ｓ１５：ＹＥＳ）、従業員に過不足を報知する（Ｓ１６）。これにより、ＩＣカードの補充や回収を遊技者の遊技を妨げることなく効率的に行うことが可能となる。【選択図】図３
2014161534.tif 000002
【特許請求の範囲】
【請求項１】
貨幣の受付に応じて遊技価値を付与する貸出手段と、
受付けた貨幣のうち遊技価値の付与に利用されなかった入金残高を記録媒体に記録して発行する記録媒体発行手段と、
前記記録媒体を受付可能な記録媒体受付手段と、
前記記録媒体受付手段が受付けた前記記録媒体を所定の上限値まで貯留可能な貯留手段と、
前記貯留手段が貯留する前記記録媒体の数を特定する記録媒体数特定手段と、を有し、遊技機に対応して設けられた貸出機と、
前記記録媒体数特定手段が特定した前記記録媒体の数が所定条件を満たすか否かを判定する貯留状況判定手段と、
前記貸出機に対応する遊技機の稼動状況を判定する稼動状況判定手段と、
前記遊技機について、前記貯留状況判定手段により当該遊技機に対応する前記貸出機に貯留されている前記記録媒体の数が所定条件を満たしていると判定され、かつ、前記稼動状況判定手段により当該遊技機が非稼動状態であると判定された場合に、当該遊技機を識別可能な情報を出力する出力手段と、
を備えたことを特徴とする遊技場用管理システム。
【発明の詳細な説明】
【技術分野】
【０００１】
本発明は、内部に入金残高記録用の記録媒体を所定の上限値まで貯留可能な貸出機を有した遊技場用管理システムに関する。
【背景技術】
【０００２】
従来の遊技場では、遊技機に対応して貸出機が設けられており、貸出機は貨幣の受付に応じて遊技媒体を貸出す。また、貸出機の返却ボタンが押下げられると、入金残高を記録したカードを発行する。このカードが再度貸出機に挿入されると、入金残高の範囲内で遊技媒体を貸出可能となり、入金残高が０となるとカードを返却せずに回収して利用する。
【先行技術文献】
【特許文献】
【０００３】
【特許文献１】特開２００５−３４２２４３号公報
【発明の概要】
【発明が解決しようとする課題】
【０００４】
このようなシステムでは、貸出機が貯留しているカード数が０になって入金残高を記録したカードを発行できなくなったり、逆にストックしているカード数が上限値に達して別の遊技機から移動してきた遊技者のカードを受付けられなかったりすることがある。この状況を事前に回避するため、内部に貯留しているカード数が設定値以上又は以下になると、従業員に報知するシステムが提案されている（特許文献１）。これにより、従業員は事前にカードを補充したり、回収したりすることが可能となるが、遊技中にカードの補充や回収作業を行うと、遊技者に不快感を与えてしまうという問題がある。また、これを避けるため、遊技者が席を離れてからカードの補充や回収を行おうとすると作業が非効率となってしまう。
【０００５】
本発明は上記事情に鑑みてなされたもので、その目的は、入金残高が記録される記録媒体を効率的に補充、回収することが可能な遊技場用システムを提供することにある。
【課題を解決するための手段】
【０００６】
本発明の遊技場用管理システムは、貨幣の受付に応じて遊技価値を付与する貸出手段と、受付けた貨幣のうち遊技価値の付与に利用されなかった入金残高を記録媒体に記録して発行する記録媒体発行手段と、前記記録媒体を受付可能な記録媒体受付手段と、前記記録媒体受付手段が受付けた前記記録媒体を所定の上限値まで貯留可能な貯留手段と、前記貯留手段が貯留する前記記録媒体の数を特定する記録媒体数特定手段と、を有し、遊技機に対応して設けられた貸出機と、前記記録媒体数特定手段が特定した前記記録媒体の数が所定条件を満たすか否かを判定する貯留状況判定手段と、前記貸出機に対応する遊技機の稼動状況を判定する稼動状況判定手段と、前記遊技機について、前記貯留状況判定手段により当該遊技機に対応する前記貸出機に貯留されている前記記録媒体の数が所定条件を満たしていると判定され、かつ、前記稼動状況判定手段により当該遊技機が非稼動状態であると判定された場合に、当該遊技機を識別可能な情報を出力する出力手段と、を備えたものである。
【発明の効果】
【０００７】
本発明によれば、貸出機に貯留されている記録媒体の数が所定条件を満たした場合に直ちに当該遊技機を識別可能な情報を出力するのではなく、当該遊技機が非稼動状態であることを条件として出力するので、記録媒体の補充や回収を遊技者の遊技を妨げることなく効率的に行うことが可能となる。
【図面の簡単な説明】
【０００８】
【図１】本発明の一実施形態における遊技場用管理システムの全体構成を示す概略図
【図２】カード過不足一覧を示す図
【図３】貸出機の動作を示すフローチャート
【発明を実施するための形態】
【０００９】
以下、本発明の一実施形態について図面を参照して説明する。
図１は、遊技場用管理システムの全体構成を示す概略図である。遊技場内には多数の遊技機１が設置されており、各遊技機１に対応して貸出機２（貸出手段、記録媒体発行手段、記録媒体受付手段、貯留手段、記録媒体数特定手段、貯留状況判定手段、稼動状況判定手段、出力手段に相当）が設置されている。これら遊技機１及び貸出機２は、中継装置３及びＬＡＮ４を介して管理装置５（出力手段に相当）と接続されている。管理装置５は、遊技機側（遊技機１、貸出機２等）から送信される遊技信号を受信することにより遊技機１毎の遊技データを管理すると共に、会員登録された会員毎の個人データも管理する。
【００１０】
遊技場には、計数機６、景品交換端末（ＰＯＳ）７、精算機８も設置されており、ＬＡＮ４を介して管理装置５と接続されている。
計数機６は、投入された玉を計数し、その計数結果である計数玉数を記録した図示しないレシートを発行すると共に管理装置５へ発行情報を送信する。景品交換端末７は、計数機から発行されたレシートにより特定される計数玉数に基づいて景品交換処理を実行する。精算機８は、ＩＣカード９（記録媒体に相当）がカード挿入口１０に挿入されると、挿入されたＩＣカード９に記録されている入金残高をカードリーダ（図示せず）により読取り、その読取った入金残高に対応する紙幣や硬貨を返却口１１から返却する。
尚、景品交換端末７及び精算機８においてＩＣカード９に記録されている入金残高を取扱うときは、管理装置５がＩＣカード９に対応して予め記憶している発行情報が示す入金残高と照合し、真であると判定したことを条件として入金残高の支払いを行う。
【００１１】
管理装置５は、遊技場内の例えば事務室等に設置されており、遊技場の管理者が操作するキーボード１２、モニタ１３、図示しないプリンタ等が接続されている。尚、図１では図示を省略したが、実際には例えば数百台の遊技機１が管理装置５の管理対象となっている。管理装置５は、遊技場内に設置された遊技機１、貸出機２、景品交換端末７等の稼動状況を管理する。
【００１２】
図１で示す遊技機１は、盤面１４に玉を発射する発射装置を構成する操作ハンドル１５、上部受皿１６、下部受皿１７を有すると共に、盤面１４に、液晶表示部１８、始動口１９、大入賞口２０を有する。遊技機１は以下に示す動作を行う。
（１）操作ハンドル１５が操作されたことにより盤面１４に発射された玉が始動口１９に入賞（始動入賞）することに応じて大当たり抽選を行い、抽選結果に基づいて所謂特別図柄（特図）による図柄変動を液晶表示部１８にて実行し、その結果に応じて大当たりを発生させる。尚、所謂保留玉の上限は各４個ずつであり、保留中に始動入賞した場合は上限まで保留し、図柄変動終了後に順次保留した図柄変動を実行する。
（２）大当たり抽選の当選確率（大当たり確率）は１／３００であり、大当たりのうち大当たり後に確変状態（確変）となる大当たりの割合は６６．６％（２／３）である。大当たりが発生すると対応するラウンド数（Ｒ）に応じた分だけ大入賞口２０を開放する。尚、１Ｒの上限入賞数（上限数）は８個、上限開放時間は３０秒であり、上限数又は上限開放時間の何れかが満たされた場合に１Ｒを終了する。
（３）大当たりに対応するラウンド数は５Ｒと１６Ｒとがあり、その振分割合は５Ｒが２５％であり、１６Ｒが７５％である。
（４）確変中は大当たり確率が１／３０に向上する。確変は次回大当たりまで継続するため、大当たり後に通常状態（通常）となる大当たり（通常大当たり）が発生するまで継続し、通常大当たりが発生した場合は通常状態へと戻る。
【００１３】
遊技機１及び当該遊技機１に付設された周辺機器は、遊技者による玉の打込みや始動口１９への始動入賞等の遊技の進行に伴って、以下に示す遊技信号を出力する。
・アウト信号：使用玉を回収するアウトＢＯＸ（図示せず）から出力される使用遊技価値（使用媒体数、アウト）を特定可能な信号である。回収玉（使用玉、打込玉）１０玉に対して１パルスが出力されるので、アウト信号数×１０をアウトとして特定する。尚、遊技機１から直接出力される信号であってもよい。アウト信号により特定されるアウトは、遊技に使用された遊技価値の量に相当する。
【００１４】
・セーフ信号：遊技機１から出力される払出遊技価値（払出媒体数、セーフ）を特定可能な信号である。払出玉１０玉に対して１パルスが出力されるので、セーフ信号数×１０をセーフとして特定する。尚、補給装置（図示せす）から出力される補給信号をセーフ信号としてもよい。セーフ信号により特定されるセーフは、入賞により付与された遊技価値の量に相当する。
・始動入賞信号：遊技機１から出力される始動口１９への入賞（始動入賞）を特定可能な信号である。始動口１９への入賞１回につき１パルスが出力されるので、始動入賞信号の受信に応じて始動入賞を特定する。
・図柄変動信号（スタート信号）：遊技機１から出力される始動口１９への始動入賞により変動（作動）を開始する図柄変動（役物作動）を特定可能な信号である。図柄変動の確定時（終了時）に出力されるので、図柄変動信号の受信に応じて図柄変動（スタート）を特定する。尚、図柄変動の開始時に出力される信号であってもよい。
・大当たり信号：遊技機１から出力される大当たり状態である期間を特定可能な信号である。大当たり状態中にレベル出力されるので、大当たり信号受信中を大当たり状態中として特定する。
・確率変動信号：遊技機１から出力される大当たりの当選確率が高い確変状態中である期間を特定可能な信号である。確変状態中にレベル出力されるので、確率変動信号受信中を確変状態中として特定する。
【００１５】
貸出機２は、投入された紙幣の金額の範囲内で玉（遊技媒体）の貸出処理を行う。また、ＩＣカード９を受付けたときは、入金残高及び計数玉数の範囲内で貸出・持玉返却処理を行うと共に、ＩＣカード発行時に入金残高をＩＣカード９に記録する。
貸出機２は、紙幣が投入される紙幣投入口２１、遊技者からの操作入力を受付けると共に遊技の進行に伴って図柄変動回数（スタート回数）や大当たり確率等の遊技データを表示するタッチパネル式の液晶表示部２２、玉を払出すために操作される貸出ボタン２３、払出された玉が通過する払出ノズル２４、ＩＣカード９が挿入されるカード挿入口２５、返却ボタン２６等を備えている。
【００１６】
貸出機２は、以下に示す機能を備えている。
（１）紙幣投入口２１に投入された紙幣の金額（１０００円単位）を記憶すると共に、投入金額（入金残高）を液晶表示部２２に表示する。
（２）貸出ボタン２３の操作に応じて入金残高の範囲内で１度数（５００円）に相当する数の玉（１２５玉）を払出ノズル２４から払出す。このとき、遊技機１から貸出機２に１度数分の玉を払出したことを示す信号が出力されるので、液晶表示部２２に表示されている入金残高から１度数に相当する金額（５００円）を減額すると共に売上信号を出力する。この売上信号は１度数の玉の払出し毎に１パルスが出力されるので、１パルスを５００円分の売上額として特定する。
（３）返却ボタン２６の操作に応じて入金残高をカード挿入口２５に挿入されているＩＣカード９に記録して発行する。ＩＣカード９を発行する場合は、発行情報を管理装置５へ送信し、管理装置５側にも記憶する。尚、カード挿入口２５にＩＣカード９が挿入されていない場合は、カードストック部に貯留しているＩＣカード９をカードリーダライタに繰出して入金残高を記録して発行する。
（４）ＩＣカード９がカード挿入口２５に挿入された場合は、ＩＣカード９に記録されている入金残高を読出して液晶表示部２２に表示する。
（５）液晶表示部２２に対する操作入力に応じて対応する遊技機１或いは指定された他の遊技機１の遊技データを表示したり、遊技場からのメッセージを表示したり、遊技者が会員であることが特定された場合は遊技機１の遊技データを表示する。
【００１７】
管理装置５は、記憶しているコンピュータプログラムにしたがって作動し、遊技機１の稼動状況を示す遊技データを表示する遊技情報表示サービスを実行可能となっている。このようなサービスを実行するために、遊技機１や貸出機２等から入出力部に入力される遊技信号に基づいて、遊技機１の稼動状態を特定して遊技機１毎に遊技データを管理するようになっている。
【００１８】
遊技機１毎に管理する遊技データは次の通りである。
・アウト
・セーフ
・差玉＝セーフ−アウト
・出玉率＝セーフ÷アウト
・大当たり確率＝大当たり回数÷スタート回数
【００１９】
次に上記構成の作用について説明する。
図３は貸出機２の動作のうち本発明に関連した動作を示すフローチャートである。貸出機２は、調整範囲の設定値を入力したか（Ｓ１）、ＩＣカード９を受付けたか（Ｓ３）、ＩＣカードを排出したか（Ｓ５）、中継装置３から稼動状況情報を入力したか（Ｓ１０）、入金残高が無い状態（＝０）になったか（Ｓ１１）、入金残高が有る状態（＞０）になったか（Ｓ１２）を判定している。
【００２０】
（調整範囲の設定）
管理者は管理装置５にて貯留数の調整枚数（例えば、３〜８枚）を貯留可能な１０枚以内で設定可能となっており、貸出機２に貯留するＩＣカード９の枚数を調整する場合は、例えば営業終了後に管理装置５に対して調整範囲の設定値（上限値、下限値）を設定する。管理装置５は、調整範囲の設定値が設定されたときは、その設定値を各貸出機２に出力する。貸出機２は、管理装置５から調整範囲の設定値を入力したときは（Ｓ１：ＹＥＳ）、その調整範囲の設定値を記憶する（Ｓ２）。
【００２１】
（ＩＣカード９の貯留数判定）
貸出機２は１０枚（「所定の上限値」に相当）までＩＣカード９を貯留可能となっており、その貯留数を判定する機能を有する。
貸出機２は、入金残高が存在する状態で返却ボタン２６が操作された場合には、入金残高を記録したＩＣカード９を排出し（Ｓ５：ＹＥＳ）、貯留数を１減算する（Ｓ６）。従業員によりリモコンが貸出機２に向けられた状態で「回収」ボタンが操作された場合にも、ＩＣカード９を１枚排出して貯留数を１減算する。一方、遊技者により入金残高が記録されたＩＣカード９が挿入された場合には、ＩＣカード９を受付け（Ｓ３：ＹＥＳ）、貯留数を１加算する（Ｓ４）。従業員により入金残高が記録されていないＩＣカード９が挿入された場合にも貯留数を１加算する。
【００２２】
（稼動状況の判定）
貸出機２及び中継装置３は、遊技機１の稼動状況を判定する機能を有する。
中継装置３は、遊技機１からアウト信号又はスタート信号を入力したときは「稼動」と判定し、最後にアウト信号又はスタート信号を入力してから２０秒以上経過したときは「非稼動」と判定する。つまり、遊技機１からアウト信号又はスタート信号が連続して出力されている状態を稼動状態と判定する。中継装置３は稼動状態と判定した場合、及び非稼動状態と判定した場合に貸出機２にその旨を示す稼動状況情報を貸出機２に出力する。
貸出機２は、中継装置３から稼動状況情報を入力したときは（Ｓ１０：ＹＥＳ）、稼動状況情報を更新する（Ｓ１３）。つまり、中継装置３から稼動状況情報として「稼動」を入力したときは、中継装置３による稼動状況判定を「稼動」とし、「非稼動」を入力したときは、中継装置３による稼動状況判定を「非稼動」とする。
【００２３】
一方、貸出機２は、入金残高が無い状態（＝０）から有る状態（＞０）となったとき（Ｓ１１：ＹＥＳ）、或いは入金残高が有る状態から無い状態になったときは（Ｓ１２：ＹＥＳ）、稼動状況情報を更新する（Ｓ１３）。つまり、入金残高が有る状態になったときは、入金残高による稼動状況判定を「稼動」とし、入金残高が無い状態となったときは、入金残高による稼動状況判定を「非稼動」とする。
【００２４】
貸出機２は、上述のようにして稼動状況情報を更新したときは、稼動状況情報に基づいて非稼動状態かを判定する（Ｓ１４）。つまり、上述したような中継装置３による稼動状況判定、または入金残高による稼動状況判定のいずれかが「稼動」の場合は稼動状態であると判定し、両方を満たさない場合は非稼動状態であると判定する。尚、稼動状況の判定方法は何れか一方のみを判定要素としても良いし、別の判定方法を用いても良い。例えば、貸出機２に会員カードが挿入されている場合や、持玉や貯玉を記録したＩＣカード９が挿入されている場合などを稼動状態であると判定するようにしても良い。
【００２５】
（ＩＣカード９の不足・過剰判定）
貸出機２は、貯留しているＩＣカード９の数が設定値（調整枚数）かを判定する機能を有する。
貸出機２は、上述のようにして稼動状況情報を更新したときは（Ｓ１３）、非稼動状態かを判定する（Ｓ１４）。このとき、非稼動状態、つまり遊技機１から信号が出力されておらず、かつ入金残高が０であったときは（Ｓ１４：ＹＥＳ）、貯留数が予め記憶した調整枚数の範囲外かを判定する（Ｓ１５）。具体的には、予め設定された上限値（例えば８枚）と下限値（例えば３枚）を基に、上限値を上回ったか、下限値を下回ったかを判定する。調整範囲外であったときは（Ｓ１５：ＹＥＳ）、該当する遊技機１の遊技機番号と貯留数を管理装置５に出力する。管理装置５は入力した結果をモニタ１３に表示出力すると共に従業員が常備するインカムに例えば「○○番台、ＩＣカードを補充（回収）してください」と音声出力する。このとき、モニタ１３に表示されているカード過不足一覧表を更新する。
尚、ＩＣカード９の補充・回収後は管理装置５に出力しないようにしても良い。これにより貯留数「０」の状態でＩＣカード９を補充したときに貯留数「１」となり不足状態が継続するにしても、無駄に出力するのを避けることができる。
【００２６】
図２はカード過不足一覧表を示している。図２は遊技機１の配置を示しており、左斜線で示す遊技機１が非稼動状態かつ貯留数が設定下限値未満の遊技機１を示し、黒で塗潰して示す遊技機１が非稼動状態かつ貯留数が設定上限値を上回った遊技機１を示している。尚、実際の画面では、該当する遊技機１を異なる色で識別可能に表示している。非稼動状態かつ貯留数が設定下限値未満の遊技機１に対してはＩＣカード９の補充対象となり、非稼動状態かつ貯留数が設定上限値を上回った遊技機１に対してはＩＣカード９の回収対象となるので、過不足の状態を一目で確認することができる。
【００２７】
このような実施形態によれば、次のような効果を奏することができる。
入金残高を記録するＩＣカード９を複数枚貯留可能な貸出機２において、対応する遊技機１が非稼動状態となった場合にＩＣカード９の数が不足或いは過剰であったときは従業員に過不足を報知するようにしたので、ＩＣカード９の補充や回収を遊技者の遊技を妨げることなく効率的に行うことが可能となる。
【００２８】
（その他の実施形態）
本発明は、上記実施形態に限定されることなく、次のように変形または拡張できる。
ＩＣカード９が不足或いは過剰になった場合に非稼動状態であったときに従業員に過不足を報知するようにしても良い。
ＩＣカード９の貯留数が調整範囲内であるか否かの判定を貸出機２が行ったが、例えば管理装置５が行うようにしても良い。
調整範囲は任意に設定可能としたが、予め設定されていても良い。
稼動状況の判定は例えば管理装置５で行っても良い。
過不足一覧表ではＩＣカード９の貯留数を表示しても良い。また、貯留数に応じた識別表示をさらに細分化しても良い。
【符号の説明】
【００２９】
図面中、１は遊技機、２は貸出機（貸出手段、記録媒体発行手段、記録媒体受付手段、貯留手段、記録媒体数特定手段、貯留状況判定手段、稼動状況判定手段、出力手段）、５は管理装置（出力手段）、９はＩＣカード（記録媒体）である。
【図１】
2014161534.tif 000003
【図２】
2014161534.tif 000004
【図３】
2014161534.tif 000005